(57)【特許請求の範囲】
【請求項１】
ベース及び前記ベースに取り付けられた注射針を備え、前記ベースには第一ハウジングがスライド可能に設置され、前記第一ハウジングには第二ハウジングがスライド可能に設置され、前記ベースにおける前記第一ハウジングの側の表面には少なくとも１つの突起が設置され、前記第一ハウジングには貫通孔が開設され、前記第一ハウジングの貫通孔の内部には少なくとも１つの弾性制限部が設置され、
前記突起が前記貫通孔の内壁と前記弾性制限部の自由端との間に移動された場合、前記弾性制限部は前記突起が前記弾性制限部の固定端に向かって移動しないように制限し、かつ、前記貫通孔の内壁は前記突起が前記弾性制限部から離れることを制限し、
前記第一ハウジングと前記第二ハウジングとの間には位置制限機構が設置されることを特徴とする針刺し装置。
【請求項２】
前記位置制限機構は第一阻止部、第二阻止部、第三阻止部及び弾性ファスナーを備え、前記第一阻止部と前記第二阻止部は前記第一ハウジングにおける前記第二ハウジングの側の表面に設置され、前記弾性ファスナーは前記第二ハウジングに設置され、前記第三阻止部は前記第二ハウジングにおける前記第一ハウジングの側の表面に設置され、前記弾性ファスナーが前記第一阻止部を超えるように移動された時、前記第二阻止部は前記第三阻止部が続いて移動しないように制限することを特徴とする請求項１に記載の針刺し装置。
【請求項３】
前記第一ハウジングにはさらにストリップスロットが開設され、前記ストリップスロットは前記貫通孔に連通され、前記ストリップスロットには前記突起がスライド可能に設置されることを特徴とする請求項１又は２に記載の針刺し装置。
【請求項４】
前記弾性制限部の個数は２つであり、２つの前記弾性制限部は別々に前記ストリップスロットの両側に位置することを特徴とする請求項３に記載の針刺し装置。
【請求項５】
２つの前記弾性制限部の自由端の間の距離は２つの前記弾性制限部の固定端の間の距離より小さいことを特徴とする請求項４に記載の針刺し装置。
【請求項６】
前記弾性制限部の個数は２つであり、２つの前記弾性制限部は全て前記ストリップスロットの片側に位置し、前記突起の個数は２つであり、２つの前記突起は別々に２つの前記弾性制限部と互いに配合することを特徴とする請求項３に記載の針刺し装置。
【請求項７】
前記弾性制限部の個数は４つであり、２つの前記弾性制限部は前記ストリップスロットの片側に位置し、他の２つの前記弾性制限部は前記ストリップスロットの反対側に位置することを特徴とする請求項３に記載の針刺し装置。
【請求項８】
前記第一阻止部は前記第一ハウジングの上表面に設置される２つのストリップブロックを備え、２つの前記ストリップブロックは平行設置され、前記ストリップブロックは前記第三阻止部のスライドレールとすることを特徴とする請求項２及び請求項２を引用する請求項３〜７のいずれか一項に記載の針刺し装置。
【請求項９】
前記第二ハウジングの底部にはパッドが設置され、前記パッドの底部は平滑面であり、前記ベースと前記第一ハウジングは前記パッドと前記第二ハウジングに囲まれることを特徴とする請求項２〜８のいずれか一項に記載の針刺し装置。
【請求項１０】
前記第二ハウジングには係合部を設置され、前記パッドは前記係合部に係合することを特徴とする請求項９に記載の針刺し装置。
【請求項１１】
前記パッドと前記第二ハウジングは一体成型されることを特徴とする請求項９に記載の針刺し装置。
【請求項１２】
前記注射針と前記パッドの底部の垂直距離は０．０５ｍｍより大きいことを特徴とする請求項９〜１１のいずれか一項に記載の針刺し装置。
【請求項１３】
前記ベースの長さは２ｍｍより大きく、前記第一ハウジングの長さは２ｍｍより大きく、前記第二ハウジングの長さは２ｍｍより大きいことを特徴とする請求項２〜１２のいずれか一項に記載の針刺し装置。
【請求項１４】
前記ベースの両側にはそれぞれに第一スライドウエーが設置され、前記第一ハウジングには前記第一スライドウエーに配合する第一スライドレールが設置され、前記第一ハウジングの両側にはそれぞれに第二スライドウエーが設置され、前記第二ハウジングには前記第二スライドウエーに配合する第二スライドレールが設置されることを特徴とする請求項２〜１３のいずれか一項に記載の針刺し装置。
【請求項１５】
前記第二ハウジングの上表面には押圧部が設置されることを特徴とする請求項２〜１４のいずれか一項に記載の針刺し装置。
【請求項１６】
前記ベースの基端部には操作部が設置され、前記操作部は少なくとも１つの翼状部を備えることを特徴とする請求項１〜１５のいずれか一項に記載の針刺し装置。
【請求項１７】
前記翼状部の個数は１つであり、１つの前記翼状部は前記ベースの片側に位置することを特徴とする請求項１６に記載の針刺し装置。
【請求項１８】
前記翼状部の個数は２つであり、２つの前記翼状部は別々に前記ベースの両側に位置することを特徴とする請求項１６に記載の針刺し装置。
【請求項１９】
前記操作部は前記ベースにスリーブジョイントし、又は前記操作部と前記ベースは一体成型され、又は前記操作部は前記ベースに係合することを特徴とする請求項１６〜１８のいずれか一項に記載の針刺し装置。
【請求項２０】
前記操作部はさらに湾曲部を備え、前記湾曲部は前記翼状部と前記ベースとの間に設置されることを特徴とする請求項１６〜１９のいずれか一項に記載の針刺し装置。
【請求項２１】
前記第一ハウジングと前記第二ハウジングは全て中空形状であることを特徴とする請求項１〜２０のいずれか一項に記載の針刺し装置。
【発明の詳細な説明】
【関連出願の相互参照】
【０００１】
本出願は、出願日が２０１５年１１月２３日である中国特許出願ＣＮ２０１５１０８１８１４７．６及びＣＮ２０１５２０９３９８３９．１の優先権を主張する。本出願は前記中国特許出願の全文を引用する。
【技術分野】
【０００２】
本発明は、針刺し装置に関するものである。
【背景技術】
【０００３】
現有の静脈注射針のような針刺し装置は一般的に一回用であり、使用済みの針刺し装置を医療廃棄品として捨てることを必要とする。針刺し装置を捨てる時、針刺し装置の注射針が人又は物を穿刺することを防止するために、針刺し装置のベースに注射針キャップを設置する。しかし、既存の針刺し装置は注射針キャップがリバウンドし易い欠陥があるので、注射針の暴露を招く。
【発明の概要】
【発明が解決しようとする課題】
【０００４】
本発明は、従来の技術に既存する注射針キャップがリバウンドし易い問題を解決することができる針刺し装置を提供する。
【課題を解決するための手段】
【０００５】
本発明に係わる針刺し装置はベース及びベースに取り付けられた注射針を備え、ベースの上方には第一ハウジングがスライド可能に設置され、第一ハウジングの上方には第二ハウジングがスライド可能に設置され、ベースの上表面には少なくとも１つの突起が設置され、第一ハウジングの後端には貫通孔が開設され、第一ハウジングの貫通孔の内部には少なくとも１つの弾性制限部が設置され、突起が貫通孔の内壁と弾性制限部の自由端との間に移動された場合、弾性制限部は突起が弾性制限部の固定端に向かって移動しないように制限し、第一ハウジングと第二ハウジングとの間には位置制限機構が設置される。
【０００６】
好ましい実施例において、位置制限機構は第一阻止部、第二阻止部、第三阻止部及び弾性ファスナーを備え、第一阻止部と第二阻止部は第一ハウジングの上表面に設置され、弾性ファスナーは第二ハウジングの上表面に設置され、第三阻止部は第二ハウジングの下表面に設置され、弾性ファスナーが第一阻止部の前方に移動された時、第二阻止部は第三阻止部が続いて移動しないように制限する。このようにすると、第二ハウジングはリバウンドし難くなる。
【０００７】
好ましい実施例において、第一ハウジングにはさらにストリップスロットが開設され、ストリップスロットは貫通孔に連通され、ストリップスロットは突起の上方に位置する。ストリップスロットは突起の通過通路とすることができ、ストリップスロットを開設することにより第一ハウジングの重量を減少することができる。
【０００８】
好ましい実施例において、弾性制限部の個数は２つであり、２つの弾性制限部は別々にストリップスロットの両側に位置する。２つの弾性制限部は突起に対する制限をさらに高めることができ、第一ハウジングのリバウンドを効果的に防止する。
【０００９】
好ましい実施例において、２つの弾性制限部の自由端の間の距離は２つの弾性制限部の固定端の間の距離より小さい。このようにすると、突起に対する制限を効果的に高めることができ、第一ハウジングのリバウンドを効果的に防止する。
【００１０】
好ましい実施例において、弾性制限部の個数は２つであり、２つの弾性制限部は全てストリップスロットの片側に位置し、突起の個数は２つであり、２つの突起は別々に２つの弾性制限部と互いに配合する。このようにすると、突起に対する制限をさらに高めることができ、第一ハウジングのリバウンドを効果的に防止する。
【００１１】
好ましい実施例において、弾性制限部の個数は４つであり、２つの弾性制限部はストリップスロットの片側に位置し、他の２つの弾性制限部はストリップスロットの反対側に位置する。このようにすると、突起に対する制限をさらに高めることができ、第一ハウジングのリバウンドを効果的に防止する。
【００１２】
好ましい実施例において、第一阻止部は第一ハウジングの上表面に設置される２つのストリップブロックを備え、２つのストリップブロックは平行設置され、ストリップブロックは第三阻止部のスライドレールとする。このようにすると、第三阻止部は順調にスライドすることができ、弾性ファスナーを阻止することもでき、従って第二ハウジングのリバウンドを防止する。
【００１３】
好ましい実施例において、第二ハウジングの底部にはパッドが設置され、パッドの底部は平滑面であり、ベースと第一ハウジングはパッドと第二ハウジングに囲まれる。使用する時、パッドは直接に人体皮膚に接触し、平滑なパッドは人体皮膚に緊密に貼り合せて、針刺し装置を使用する時の皮膚快適度を高めることができる。
【００１４】
好ましい実施例において、第二ハウジングの下方には係合部を設置され、パッドは係合部に係合する。このようにすると、パッドと第二ハウジングは接続し易い。
好ましい実施例において、パッドと第二ハウジングは一体成型される。このようにすると、製造上、便利である利点があり、別にパッドを取り付けることを必要としない。
【００１５】
好ましい実施例において、ベースの先端部には注射針が設置され、注射針とパッドの底部の垂直距離は０．０５ｍｍより大きい。このようにすると、使用する時に注射針は人体皮膚に近いので、針刺し装置の使用快適度を高める。
【００１６】
好ましい実施例において、ベースの長さは２ｍｍより大きく、第一ハウジングの長さは２ｍｍより大きく、第二ハウジングの長さは２ｍｍより大きい。このようにすると、第一ハウジング及び第二ハウジングを引っ張ってから、注射針を効果的に遮ることができ、針刺し装置の安全性を高める。
【００１７】
好ましい実施例において、ベースの両側にはそれぞれに第一スライドウエーが設置され、第一ハウジングには第一スライドウエーに配合する第一スライドレールが設置され、第一ハウジングの両側にはそれぞれに第二スライドウエーが設置され、第二ハウジングには第二スライドウエーに配合する第二スライドレールが設置される。このようにすると、ベースと第一ハウジング、第一ハウジングと第二ハウジングは緊密に接続することができ、且つ順調にスライドすることができる。
【００１８】
好ましい実施例において、第二ハウジングの上表面には押圧部が設置される。このようにすると、針刺し装置の使用が終了してから、使用者は第二ハウジングの押圧部を押圧して注射針を人体皮膚から便利に引き抜くことができる。
【００１９】
好ましい実施例において、ベースの基端部には操作部が設置され、操作部は少なくとも１つの翼状部を備える。操作部によって針刺し装置を便利に操作することができる。
好ましい実施例において、翼状部の個数は１つであり、１つの翼状部はベースの片側に位置する。使用者は翼状部を握って針刺し装置を操作することができる。
【００２０】
好ましい実施例において、翼状部の個数は２つであり、２つの翼状部は別々にベースの両側に位置する。２つの翼状部で針刺し装置をさらに便利に操作することができる。
好ましい実施例において、操作部はベースにスリーブジョイントし、又は操作部とベースは一体成型され、又は操作部はベースに係合する。
【００２１】
好ましい実施例において、操作部はさらに湾曲部を備え、湾曲部は翼状部とベースとの間に設置される。湾曲できる操作部は操作に便利である利点がある。
好ましい実施例において、第一ハウジングと第二ハウジングは全て中空形状である。中空のハウジングは操作に便利である。
【発明の効果】
【００２２】
本発明に係わる針刺し装置は、操作に便利であり、使用過程で患者の皮膚は快適に感じることができ、使用が終了してからベースの上方のハウジングで注射針を迅速に覆うことができ、ハウジングはベースに緊密に接続されてリバウンド状況を発生させることなく、製品の安全性を効果的に高める。
【図面の簡単な説明】
【００２３】
【図１】本発明の実施例に係わる針刺し装置の構造を示す概略図である。
【図２】本発明の実施例に係わる針刺し装置の立体分解図である。
【図３】本発明の実施例に係わる針刺し装置の第一ハウジングの立体図である。
【図４】本発明の実施例に係わる針刺し装置の第二ハウジングの立体図である。
【図５】本発明の実施例に係わる針刺し装置の第二ハウジングを下方から見たときの概略の構成を示す底面図である。
【図６】本発明の実施例に係わる使用済みの針刺し装置を上方から見たときの概略の構成を示す上面図である。
【図７】本発明の実施例に係わる使用済みの針刺し装置を下方から見たときの概略の構成を示す底面図である。
【図８】本発明の実施例に係わるパッドを取り付けなかった使用済みの針刺し装置を下方から見たときの概略の構成を示す底面図である。
【図９】本発明実施例に係わる針刺し装置の操作部をベースにスリーブジョイントする構造を示す図である。
【図１０】本発明の実施例に係わる針刺し装置の操作部に湾曲部を設置した構造を示す図である。
【発明を実施するための形態】
【００２４】
本発明をもっと明確にするために、以下、図面を参照して本発明の実施方式について詳細に説明する。
図１、図２、図３、図４、図５、図６、図７、図８、図９及び図１０に示されたように、本発明に係わる針刺し装置はベース１０及びベース１０の先端部に取り付けられた注射針２０を備え、ベース１０の上方には第一ハウジング３０が設置され、第一ハウジング３０の上方には第二ハウジング４０が設置される。ベース１０の上表面には突起１１が設置され、第一ハウジング３０の後端部には貫通孔３１が開設され、第一ハウジング３０の貫通孔３１の内部には弾性制限部３２が設置され、突起１１が貫通孔３１の内壁と弾性制限部３２の自由端との間に移動された場合、弾性制限部３２は突起１１が弾性制限部３２の固定端に向かって移動しないように制限する。第一ハウジング３０と第二ハウジング４０との間には位置制限機構が設置され、位置制限機構は第一阻止部３３、第二阻止部３４、第三阻止部４２及び弾性ファスナー４１を備える。第一阻止部３３と第二阻止部３４は第一ハウジング３０の上表面に設置され、弾性ファスナー４１は第二ハウジング４０の上表面に設置され、第三阻止部４２は第二ハウジング４０の下表面に設置され、弾性ファスナー４１が第一阻止部３３の前方に移動された時、第二阻止部３４は第三阻止部４２が続いて移動しないように制限する。
【００２５】
第一ハウジング３０にはさらにストリップスロット３５が設けられ、ストリップスロット３５は貫通孔３１に連通され、ストリップスロット３５は突起１１の上方に位置する。弾性制限部３２の個数は２つであり、２つの弾性制限部３２は別々にストリップスロット３５の両側に位置する。２つの弾性制限部３２の自由端の間の距離は２つの弾性制限部３２の固定端の間の距離より小さい。
【００２６】
弾性制限部と突起の個数は全て２つであることができ、２つの弾性制限部は全てストリップスロットの片側に位置し、２つの突起は別々に２つの弾性制限部と互いに配合する。このように突起に対する制限を高めて、第一ハウジングのリバウンドを防止する。
【００２７】
弾性制限部の個数は４つであることができ、２つの弾性制限部はストリップスロットの片側に位置し、他の２つの弾性制限部はストリップスロットの反対側に位置する。弾性制限部の増加は突起に対する制限をさらに高める。
【００２８】
第一阻止部３３は第一ハウジング３０の上表面に設置される２つのストリップブロック３３１を備え、２つのストリップブロック３３１は平行設置され、ストリップブロック３３１は第三阻止部４２のスライドレールとする。
【００２９】
第二ハウジング４０の底部にはパッド４５が設置され、パッド４５の底部は平滑面であり、ベース１０と第一ハウジング３０はパッド４５と第二ハウジング４０に囲まれる。パッド４５と第二ハウジング４０は別々に製造されてから組み立てることができ、このときは第二ハウジング４０の下方に係合部４０１を設置することができ、パッド４５は係合部４０１に係合する。又、パッド４５と第二ハウジング４０は一体成型されることもできる。第一ハウジング３０と第二ハウジング４０は全て中空形状である。
【００３０】
注射針２０とパッド４５の底部の垂直距離は０．０５ｍｍより大きい。このようにすると注射針２０は人体皮膚に近いので、針刺し装置を使用する時の快適度を高める。ベース１０の長さは２ｍｍより大きく、第一ハウジング３０の長さは２ｍｍより大きく、第二ハウジング４０の長さは２ｍｍより大きい。
【００３１】
ベース１０の両側にはそれぞれに第一スライドウエー１２が設置され、第一ハウジング３０には第一スライドウエー１２に配合する第一スライドレール３６が設置され、第一ハウジング３０の両側にはそれぞれに第二スライドウエー３７が設置され、第二ハウジング４０には第二スライドウエー３７に配合する第二スライドレール４３が設置される。
【００３２】
第二ハウジング４０の上表面には押圧部４４が設置される。このようにすると、針刺し装置の使用が終了してから、使用者は第二ハウジング４０の押圧部４４を押圧すると、第二ハウジング４０はスライディングし易くなる。
【００３３】
便利に使用するために、ベース１０の基端部には操作部５０が設置され、操作部５０は少なくとも１つの翼状部５１を備える。翼状部５１の個数は１つであることができ、１つの翼状部５１はベース１０の片側に設置される。翼状部５１の個数は２つであることができ、２つの翼状部５１は別々にベース１０の両側に設置される。操作部５０とベース１０はいろいろな接続方式があり、例えば、操作部５０とベース１０は一体成型されることができ、図６に示されたように、操作部５０はベース１０に係合することができ、図９に示されたように、操作部５０をベース１０にスリーブジョイントすることもできる。図１０に示されたように、操作部５０はさらに湾曲部５２を備え、湾曲部５２は翼状部５１とベース１０との間に設置される。湾曲できる操作部は操作に便利である。
【００３４】
使用済みの針刺し装置の第二ハウジング４０を押圧して、ベース１０を後方へ引っ張ると、注射針２０は人体皮膚から離れる。ベース１０が後方へ移動しているところ、第一ハウジング３０はベース１０とともに後方へ移動し、第二ハウジング４０は移動しない。弾性制限部３２が突起１１を貫通孔３１内に制限したときにベース１０は第一ハウジング３０に係合する。第二阻止部３４が第三阻止部４２を阻止すると、第一ハウジング３０は後方へ移動せず、第一阻止部３３は弾性ファスナー４１を阻止して、第一ハウジング３０は前方へ移動することを免れる。第一ハウジング３０及び第二ハウジング４０はベース１０の上の注射針２０を覆う。第一ハウジング３０及び第二ハウジング４０はリバウンドせずに注射針２０を覆って、注射針２０が人又は物を穿刺することを防止する。平滑面であるパッド４５の底面は直接に人体皮膚に接触するので、操作過程で患者の皮膚は不快な感覚がなく、使用過程の快適感を高める。
【００３５】
本発明に係わる針刺し装置は、操作に便利であり、使用過程で患者の皮膚は快適に感じることができ、使用が終了してからベースの上方のハウジングで注射針を迅速に覆うことができ、ハウジングはベースに緊密に接続されてリバウンド状況を発生させることなく、製品の安全性を効果的に高める。
【００３６】
本発明の説明において、用語「上」、「下」、「前」、「後」、「左」、「右」、「垂直」、「水平」、「頂」、「底」、「内」、「外」などが表示する方位又は位置関係は、図面に示された方位又は位置関係に基いて本発明を簡単に便利に説明するだけで、装置又は素子は必ず特定の方位を有するか又は特定の方位で操作されることに限定されるものではないために、本発明に対する制限であると理解してはならない。
【００３７】
以上実施例に基づいて本発明を具体的に説明したが、本発明は上述の実施例に限定されるものではなく、その要旨を逸脱しない限り、添付の特許請求の範囲の精神及び範囲内に含まれる種々の変更や類似の構成は、すべて最も広い解釈によって本発明の保護範囲内に含まれる。
【符号の説明】
【００３８】
１０  ベース
１１  突起
１２  第一スライドウエー
２０  注射針
３０  第一ハウジング
３１  貫通孔
３２  弾性制限部
３３  第一阻止部
３４  第二阻止部
３５  ストリップスロット
３６  第一スライドレール
３７  第二スライドウエー
４０  第二ハウジング
４１  弾性ファスナー
４２  第三阻止部
４３  第二スライドレール
４４  押圧部
４５  パッド
５０  操作部
５１  翼状部
５２  湾曲部
３３１  ストリップブロック
４０１  係合部
【図１】
0006336008.tif 000002
【図２】
0006336008.tif 000003
【図３】
0006336008.tif 000004
【図４】
0006336008.tif 000005
【図５】
0006336008.tif 000006
【図６】
0006336008.tif 000007
【図７】
0006336008.tif 000008
【図８】
0006336008.tif 000009
【図９】
0006336008.tif 000010
【図１０】
0006336008.tif 000011